(57)【要約】【課題】処理を複雑化させずにページ毎にスクリーン処理を行う。【解決手段】クライアントパソコン２の制御部２５は、画像形成装置３で行われるスクリーン処理についての処理パラメータをページ毎に設定する。【選択図】図１
2008022048.tif 000002
【特許請求の範囲】
【請求項１】
画像処理装置で行われるスクリーン処理についての処理パラメータをページ毎に設定するスクリーン処理設定部を備えることを特徴とする画像処理設定装置。
【請求項２】
スクリーン処理についてページ毎に設定された処理パラメータを検出するパラメータ検出部と、
前記パラメータ検出部によって検出された前記処理パラメータに基づいて各ページのスクリーン処理を行うスクリーン処理部とを備えることを特徴とする画像処理装置。
【請求項３】
請求項１記載の画像処理設定装置と、
請求項２記載の画像処理装置と、
前記画像処理装置によってスクリーン処理された画像を形成する画像形成装置とを備えることを特徴とする画像形成システム。
【請求項４】
画像処理装置で行われるスクリーン処理についての処理パラメータをページ毎に設定する工程を備えることを特徴とする画像処理設定方法。
【請求項５】
スクリーン処理についてページ毎に設定された処理パラメータを検出する工程と、
検出された前記処理パラメータに基づいて各ページのスクリーン処理を行う工程とを備えることを特徴とする画像処理方法。
【請求項６】
請求項４記載の画像処理設定方法によって前記処理パラメータをページ毎に設定する工程と、
請求項５記載の画像処理方法によって各ページのスクリーン処理を行う工程と、
スクリーン処理された画像を形成する工程とを備えることを特徴とする画像形成方法。
【請求項７】
画像処理装置で行われるスクリーン処理に適用されるスクリーンをページ単位で設定するスクリーン処理設定部を備えることを特徴とする画像処理設定装置。
【請求項８】
請求項７記載の画像処理設定装置において、
前記スクリーン処理設定部は、スクリーン線数、スクリーン角度及びドット形状のうち、少なくとも１つの内容を指定することにより、スクリーンを設定することを特徴とする画像処理設定装置。
【請求項９】
請求項８記載の画像処理設定装置において、
スクリーン線数、スクリーン角度及びドット形状のうち、少なくとも１つの内容について、ページ単位で選択肢を表示する表示部と、
ユーザから前記選択肢の選択操作を受ける入力部とを備え、
前記スクリーン処理設定部は、前記選択操作によって選択された選択肢に対応するスクリーンを該当ページに設定することを特徴とする画像処理設定装置。
【請求項１０】
画像処理装置で行われるスクリーン処理に適用されるスクリーンをページ単位で設定するスクリーン処理設定工程を備えることを特徴とする画像処理設定方法。
【請求項１１】
請求項１０記載の画像処理設定方法において、
前記スクリーン処理設定工程では、スクリーン線数、スクリーン角度及びドット形状のうち、少なくとも１つの内容を指定することにより、スクリーンを設定することを特徴とする画像処理設定方法。
【請求項１２】
請求項１１記載の画像処理設定方法において、
スクリーン線数、スクリーン角度及びドット形状のうち、少なくとも１つの内容について、ページ単位で選択肢を表示する工程と、
ユーザから前記選択肢の選択操作を受ける工程とを備え、
前記スクリーン処理設定工程では、前記選択操作によって選択された選択肢に対応するスクリーンを該当ページに設定することを特徴とする画像処理設定方法。
【発明の詳細な説明】
【技術分野】
【０００１】
本発明は、画像処理設定装置、画像処理装置、画像形成システム、画像処理設定方法、画像処理方法及び画像形成方法に関する。
【背景技術】
【０００２】
従来、紙などの記録媒体に出力される画像データに対して画像処理を施す画像処理装置は、画像データにスクリーン処理等の画像処理を施すことにより、画質を最適化するようになっている。
【０００３】
近年、このような画像処理装置は、画像データ全体に対して同一のスクリーン処理を行う代わりに、画像データ中のオブジェクトの種類毎にスクリーン処理を行うこと、例えば、２値の線画文字オブジェクトと、多値の多階調画像オブジェクトとに対して別々のスクリーン処理を行うこと、が可能となっている（例えば、特許文献１参照）。
【特許文献１】特開２００４−９４４３９号公報
【発明の開示】
【発明が解決しようとする課題】
【０００４】
しかしながら、上記特許文献１に記載の画像処理装置によって複数ページの画像データを出力すると、同一種類のオブジェクトに対しては全てのページで同様のスクリーン処理が施されることとなる。そのため、例えば、複数の写真を含んだ画像データがある場合に、或るページ中の写真のモアレを解消すべくスクリーン処理を行うと、他のページ中の写真の色見まで変わってしまう等、ページによってはオブジェクトにマッチしないスクリーン処理が施されてしまう場合がある。そして、このような問題は、表紙ページに紙質の異なる用紙を用いる場合に特に顕著となってしまう。
【０００５】
一方、このような問題を解決する手法としては、ページ毎に異なる画像データを形成して別個に出力する手法も考えられるが、この場合には出力対象の画像データ数が増える分、処理が複雑化してしまう。
【０００６】
本発明の課題は、処理を複雑化させずにページ毎にスクリーン処理を行うことができる画像処理設定装置、画像処理装置、画像形成システム、画像処理設定方法、画像処理方法及び画像形成方法を提供することである。
【課題を解決するための手段】
【０００７】
請求項１記載の発明は、画像処理設定装置において、
画像処理装置で行われるスクリーン処理についての処理パラメータをページ毎に設定するスクリーン処理設定部を備えることを特徴とする。
【０００８】
請求項１記載の発明によれば、スクリーン処理に関する処理パラメータがページ毎に設定されるので、当該処理パラメータに基づいてスクリーン処理を行うことにより、ページ毎にスクリーン処理を行うことができる。従って、オブジェクトの種類毎にスクリーン処理を行う従来の場合と異なり、ページ毎に適切なスクリーン処理を行うことができる。
【０００９】
また、複数ページからなる１つの画像データに対してページ毎にスクリーン処理を行うことができるため、ページ毎の複数の画像データに対してそれぞれスクリーン処理を行う場合と比較して、処理の複雑化を防止することができる。
【００１０】
請求項２記載の発明は、画像処理装置において、
スクリーン処理についてページ毎に設定された処理パラメータを検出するパラメータ検出部と、
前記パラメータ検出部によって検出された前記処理パラメータに基づいて各ページのスクリーン処理を行うスクリーン処理部とを備えることを特徴とする。
【００１１】
請求項２記載の発明によれば、ページ毎に設定された処理パラメータが検出され、検出された処理パラメータに基づいて各ページのスクリーン処理が行われるので、オブジェクトの種類毎にスクリーン処理を行う従来の場合と比較して、ページ毎に適切なスクリーン処理を行うことができる。
【００１２】
また、複数ページからなる１つの画像データに対してページ毎にスクリーン処理を行うことができるため、ページ毎の複数の画像データに対してそれぞれスクリーン処理を行う場合と比較して、処理を簡素化することができる。
【００１３】
請求項３記載の発明は、画像形成システムにおいて、
請求項１記載の画像処理設定装置と、
請求項２記載の画像処理装置と、
前記画像処理装置によってスクリーン処理された画像を形成する画像形成装置とを備えることを特徴とする。
【００１４】
請求項３記載の発明によれば、請求項１，２記載の発明と同様の効果を得ることができる。
【００１５】
請求項４記載の発明は、画像処理設定方法において、
画像処理装置で行われるスクリーン処理についての処理パラメータをページ毎に設定する工程を備えることを特徴とする。
【００１６】
請求項４記載の発明によれば、スクリーン処理に関する処理パラメータをページ毎に設定するので、当該処理パラメータに基づいてスクリーン処理を行うことにより、ページ毎にスクリーン処理を行うことができる。従って、オブジェクトの種類毎にスクリーン処理を行う従来の場合と異なり、ページ毎に適切なスクリーン処理を行うことができる。
【００１７】
また、複数ページからなる１つの画像データに対してページ毎にスクリーン処理を行うことができるため、ページ毎の複数の画像データに対してそれぞれスクリーン処理を行う場合と比較して、処理の複雑化を防止することができる。
【００１８】
請求項５記載の発明は、画像処理方法において、
スクリーン処理についてページ毎に設定された処理パラメータを検出する工程と、
検出された前記処理パラメータに基づいて各ページのスクリーン処理を行う工程とを備えることを特徴とする。
【００１９】
請求項５記載の発明によれば、ページ毎に設定された処理パラメータを検出し、検出した処理パラメータに基づいて各ページのスクリーン処理を行うので、オブジェクトの種類毎にスクリーン処理を行う従来の場合と比較して、ページ毎に適切なスクリーン処理を行うことができる。
【００２０】
また、複数ページからなる１つの画像データに対してページ毎にスクリーン処理を行うことができるため、ページ毎の複数の画像データに対してそれぞれスクリーン処理を行う場合と比較して、処理を簡素化することができる。
【００２１】
請求項６記載の発明は、画像形成方法において、
請求項４記載の画像処理設定方法によって前記処理パラメータをページ毎に設定する工程と、
請求項５記載の画像処理方法によって各ページのスクリーン処理を行う工程と、
スクリーン処理された画像を形成する工程とを備えることを特徴とする。
【００２２】
請求項６記載の発明によれば、請求項４，５記載の発明と同様の効果を得ることができる。
【００２３】
請求項７記載の発明は、画像処理設定装置において、
画像処理装置で行われるスクリーン処理に適用されるスクリーンをページ単位で設定するスクリーン処理設定部を備えることを特徴とする。
【００２４】
請求項７記載の発明によれば、スクリーン処理に適用されるスクリーンがページ単位で設定されるので、当該スクリーンに基づいてスクリーン処理を行うことにより、ページ毎にスクリーン処理を行うことができる。従って、オブジェクトの種類毎にスクリーン処理を行う従来の場合と異なり、ページ毎に適切なスクリーン処理を行うことができる。
【００２５】
また、複数ページからなる１つの画像データに対してページ毎にスクリーン処理を行うことができるため、ページ毎の複数の画像データに対してそれぞれスクリーン処理を行う場合と比較して、処理の複雑化を防止することができる。
【００２６】
請求項８記載の発明は、請求項７記載の画像処理設定装置において、
前記スクリーン処理設定部は、スクリーン線数、スクリーン角度及びドット形状のうち、少なくとも１つの内容を指定することにより、スクリーンを設定することを特徴とする。
【００２７】
請求項８記載の発明によれば、スクリーン線数、スクリーン角度及びドット形状のうち、少なくとも１つの内容が指定されることによってスクリーンが設定されるので、これらの全ての内容が指定される場合と比較して、処理を簡素化することができる。
【００２８】
請求項９記載の発明は、請求項８記載の画像処理設定装置において、
スクリーン線数、スクリーン角度及びドット形状のうち、少なくとも１つの内容について、ページ単位で選択肢を表示する表示部と、
ユーザから前記選択肢の選択操作を受ける入力部とを備え、
前記スクリーン処理設定部は、前記選択操作によって選択された選択肢に対応するスクリーンを該当ページに設定することを特徴とする。
【００２９】
請求項９記載の発明によれば、選択された選択肢に対応するスクリーンが該当ページに設定されるので、スクリーン処理の内容を数値等で入力する場合と比較して、操作を簡素化することができる。
【００３０】
請求項１０記載の発明は、画像処理設定方法において、
画像処理装置で行われるスクリーン処理に適用されるスクリーンをページ単位で設定するスクリーン処理設定工程を備えることを特徴とする。
【００３１】
請求項１０記載の発明によれば、スクリーン処理に適用されるスクリーンをページ単位で設定するので、当該スクリーンに基づいてスクリーン処理を行うことにより、ページ毎にスクリーン処理を行うことができる。従って、オブジェクトの種類毎にスクリーン処理を行う従来の場合と異なり、ページ毎に適切なスクリーン処理を行うことができる。
【００３２】
また、複数ページからなる１つの画像データに対してページ毎にスクリーン処理を行うことができるため、ページ毎の複数の画像データに対してそれぞれスクリーン処理を行う場合と比較して、処理の複雑化を防止することができる。
【００３３】
請求項１１記載の発明は、請求項１０記載の画像処理設定方法において、
前記スクリーン処理設定工程では、スクリーン線数、スクリーン角度及びドット形状のうち、少なくとも１つの内容を指定することにより、スクリーンを設定することを特徴とする。
【００３４】
請求項１１記載の発明によれば、スクリーン線数、スクリーン角度及びドット形状のうち、少なくとも１つの内容を指定することによってスクリーンを設定するので、これらの全ての内容が指定する場合と比較して、処理を簡素化することができる。
【００３５】
請求項１２記載の発明は、請求項１１記載の画像処理設定方法において、
スクリーン線数、スクリーン角度及びドット形状のうち、少なくとも１つの内容について、ページ単位で選択肢を表示する工程と、
ユーザから前記選択肢の選択操作を受ける工程とを備え、
前記スクリーン処理設定工程では、前記選択操作によって選択された選択肢に対応するスクリーンを該当ページに設定することを特徴とする。
【００３６】
請求項１２記載の発明によれば、選択された選択肢に対応するスクリーンを該当ページに設定するので、スクリーン処理の内容を数値等で入力する場合と比較して、操作を簡素化することができる。
【発明の効果】
【００３７】
本発明によれば、オブジェクトの種類毎にスクリーン処理を行う従来の場合と異なり、ページ毎に適切なスクリーン処理を行うことができる。また、ページ毎の複数の画像データに対してそれぞれスクリーン処理を行う場合と比較して、処理の複雑化を防止することができる。
【発明を実施するための最良の形態】
【００３８】
以下、図を参照して本発明の実施の形態を説明する。
図１は、本発明に係る画像形成システム１の概略構成を示す図である。
【００３９】
この図に示すように、画像形成システム１は、通信ネットワークＮを介して互いに接続されたクライアントパソコン２及び画像形成装置３を備えている。
【００４０】
通信ネットワークＮは、クライアントパソコン２及び画像形成装置３の間でデータの送受信を可能とするものであり、例えばイーサネット（登録商標），トークンリング，ＦＤＤＩ（Fiber Distributed Data Interface）等の規格によりコンピュータやネットワーク機器同士を接続したＬＡＮ（Local Area Network）や、ＬＡＮ同士を専用線で接続したＷＡＮ（WideArea Network）等から構成されている。なお、通信ネットワークＮの代わりに、ＩＥＥＥ１３９４などの規格に従ったインターフェースを介してクライアントパソコン２及び画像形成装置３が接続されていてもよい。
【００４１】
クライアントパソコン２は、本発明に係る画像処理設定装置であり、図２に示すように、バス２０を介して相互に接続された表示部２１、操作部２２、インターフェース２３、記憶装置２４及び制御部２５を備えている。
【００４２】
表示部２１は、ＬＣＤ（Liquid Crystal Display）等によって構成されており、制御部２５によって指示されるデータ等を表示出力するようになっている。
【００４３】
操作部２２は、複数の操作キーによって構成されており、ユーザによる指示入力を制御部２５に出力するようになっている。より詳細には、この操作部２２には、画像形成装置３で行われるスクリーン処理についてのスクリーン処理パラメータが、後述の画像処理パラメータ設定処理（図５参照）において入力されるようになっている。なお、スクリーン処理とは、出力画像のスクリーン角度や線数、ドット形状に関して画像処理を行うことを意味する。
【００４４】
インターフェース２３は、通信ネットワークＮとクライアントパソコン２との間で通信を可能とするものであり、本実施の形態においては、通信ネットワークＮを介して画像形成装置３に印刷ジョブを送信することができるようになっている。
【００４５】
ここで、印刷ジョブとは、テキストやイメージについての画像データと、上述のスクリーン処理パラメータに対応するスクリーン処理設定コマンドとを含むデータである。なお、本実施の形態においては、複数ページからなる印刷物について、単一の印刷ジョブが送信されるようになっている。
【００４６】
記憶装置２４は、ハードディスク等により構成されてデータやプログラムを読み書き可能に記憶しており、本実施の形態においては、文書作成や表計算、図形描画等の各種アプリケーションソフトウェアの他に、プリンタドライバ２４０を記憶している。
【００４７】
このプリンタドライバ２４０は、画像形成装置３の機能・動作を設定するためのソフトウェアであり、本実施の形態においては、制御部２５で実行されることにより、後述の画像処理パラメータ設定処理（図５参照）をクライアントパソコン２に行わせるようになっている。
【００４８】
制御部２５は、クライアントパソコン２の各部を制御するものであり、図示しないＲＯＭ（Read  Only  Memory）、ＲＡＭ（Random  Access  Memory）及びＣＰＵ（Central  Processing  Unit）等を備えている。
【００４９】
一方、画像形成装置３は、本発明に係る画像処理装置であり、図３に示すように、バス３０を介して相互に接続された表示部３１、操作部３２、インターフェース３３、スキャナ部３４、プリントエンジン部３５、プリントコントローラ３６、制御部３７及び記憶装置３８を備えている。
【００５０】
表示部３１は、ＬＣＤ（Liquid Crystal Display）等により構成されており、ＧＵＩ（Graphical User Interface）を使用した操作画面や、制御部３７によって指示されるデータ等を表示出力するようになっている。なお、表示部３１の表示画面には、電磁誘導式、磁気歪式、感圧式などのタッチパネルが形成されていることとしても良い。ここで、タッチパネルとは、手指やタッチペン等で押下された力点のＸＹ座標を格子状の透明電極で検出し、検出された位置信号を操作信号として出力するものである。
【００５１】
操作部３２は、複数の操作キーによって構成されており、ユーザによる指示入力を制御部３７に出力するようになっている。
インターフェース３３は、通信ネットワークＮと画像形成装置３との間で通信を可能とするものである。
【００５２】
スキャナ部３４は、紙などの記録媒体に記録された画像を読み取って画像データを生成するものである。なお、スキャナ部３４によって生成される画像データには、図形や写真等のイメージデータや、文字や記号等のテキストデータ等が含まれる。
プリントエンジン部３５は、レーザビーム方式やインクジェット方式など、所定の印刷方式によって紙などの記録媒体に画像を形成するようになっている。
【００５３】
プリントコントローラ３６は、印刷ジョブに基づいてプリントエンジン部３５を駆動させるものであり、図４に示すように、ジョブ解析部３６０、インタプリタ部３６１、記憶部３６２及びエンジンＩＦ（Inter Face）部３６３を有している。
【００５４】
ジョブ解析部３６０は、印刷ジョブを解析するものであり、スクリーン処理設定コマンドをページ単位で検出することができるようになっている。
【００５５】
インタプリタ部３６１は、画像データをラスタライズしてビットマップ形式に変換するものであり、本実施の形態においては、ラスタライズを行うとともに、スクリーン処理設定コマンドに基づいてスクリーン処理を行うようになっている。
【００５６】
記憶部３６２は、ＲＡＭ等によって構成されており、デフォルトのスクリーン処理設定や、ユーザにより設定されたスクリーン処理設定、画像データ等を記憶するようになっている。
【００５７】
エンジンＩＦ部３６３は、インタプリタ部３６１でラスタライズされた画像データをプリントエンジン部３５に送信するようになっている。
【００５８】
また、図３に示すように、制御部３７は、画像形成装置３の各部を制御するものであり、図示しないＲＯＭ（Read  Only  Memory）、ＲＡＭ（Random  Access  Memory）及びＣＰＵ（Central  Processing  Unit）等を備えている。
【００５９】
記憶装置３８は、プリントコントローラ３６の記憶部３６２よりも記憶容量の大きなハードディスク等により構成されてデータやプログラムを読み書き可能に記憶しており、本実施の形態においては、画像形成プログラム３８０を記憶するとともに、印刷ジョブを一時的に保存するようになっている。
【００６０】
この画像形成プログラム３８０は、画像形成装置３を制御するためのプログラムであり、本実施の形態においては、制御部３７で実行されることにより、後述の画像形成処理（図６，図７参照）を画像形成装置３に行わせるようになっている。
【００６１】
続いて、本発明に係る画像形成方法について説明する。図５は、クライアントパソコン２の制御部２５が記憶装置２４からプリンタドライバ２４０を読み出して実行する画像処理パラメータ設定処理の動作を説明するためのフローチャートである。また、図６，図７は、画像形成装置３の制御部３７が記憶装置３８から画像形成プログラム３８０を読み出して実行する画像形成処理の動作を説明するためのフローチャートである。
【００６２】
クライアントパソコン２における画像処理パラメータ設定処理においては、図５に示すように、まず、操作部２２を介してユーザにより所定のアプリケーションファイル形式の画像データが指定され、画像形成指示が入力されると（ステップＳ１）、制御部２５は、当該アプリケーションファイル形式の画像データをＰＤＬ（Page Discription Language）ファイル形式の画像データに変換した後（ステップＳ２）、ユーザによってページ別のスクリーン処理設定が指示されているか否かを判定する（ステップＳ３）。
【００６３】
このステップＳ３においてページ別のスクリーン処理設定が指示されていないと判定した場合（ステップＳ３；Ｎｏ）には、制御部２５は、従来より公知の手法により、画像データ全体に対してスクリーン処理パラメータの設定を行った後（ステップＳ４）、後述のステップＳ９の処理に移行する。
【００６４】
一方、ステップＳ３においてページ別のスクリーン処理設定が指示されていると判定した場合（ステップＳ３；Ｙｅｓ）には、制御部２５は、当該画像データのページ数を検出し（ステップＳ５）、ページ数に対応するスクリーン処理設定画面を表示部２１に表示させる（ステップＳ６）。
【００６５】
ここで、スクリーン処理設定画面としては、例えば図８（ａ）に示すような画面を用いることができる。このスクリーン処理設定画面において、「角度」はスクリーン角度、「線数」はスクリーン線数、「ドット形状」はドットの形状を意味している。また、本実施の形態においては、スクリーン線数やスクリーン角度、ドット形状等の各々の内容、つまりスクリーン処理パラメータは、プルダウンメニューによって表示される選択肢から独立して指定可能となっている。但し、スクリーン処理設定画面の形態としては、スクリーン角やスクリーン線数、ドット形状の組合せが予め定められた複数種類のスクリーンをプルダウンメニューから直接的に選択可能としたものであっても良いし、それぞれの内容を直接入力可能としたものであっても良い。
【００６６】
次に、操作部２２を介してユーザによりスクリーン処理パラメータがプルダウンメニューを介してページ毎に入力（選択），設定され（ステップＳ７）、スクリーン処理設定の完了操作が行われると（ステップＳ８）、制御部２５は、ステップＳ２で生成したＰＤＬ形式の画像データと、ステップＳ７で入力されたスクリーン処理パラメータに対応するスクリーン処理設定コマンドとを合わせて印刷ジョブを生成する（ステップＳ９）。
【００６７】
ここで、上述の図８（ａ）においては、スクリーン処理パラメータとして１ページ目のスクリーン角度を４５度、スクリーン線数を１７５ｌｐｉ（line per inch）、ドット形状を円形とし、２ページ目のスクリーン角度を０度、スクリーン線数を１７５ｌｐｉ、ドット形状を円形とし、３ページ目のスクリーン角度を０度、スクリーン線数を１００ｌｐｉ、ドット形状を線形としている。この場合、印刷ジョブにおけるスクリーン処理設定コマンドは、例えば図９の網掛け部分に示すように設定される。なお、ステップＳ７においてスクリーン処理設定の行われなかったページ，項目については、スクリーン処理設定コマンドは「ＮＯＮＥ」と設定され（後述の図１１参照）、デフォルトのスクリーン処理を指示するようになっている。また、図９では、スクリーン処理設定コマンドがＰＣＬコマンドで表現された場合を示しているが、他の種類のコマンドとしても良い。
【００６８】
そして、制御部２５は、インターフェース２３を介して画像形成装置３に対して印刷ジョブを送信し（ステップＳ１０）、画像処理パラメータ設定処理を終了する。
【００６９】
一方、画像形成装置３における画像形成処理においては、図６に示すように、まず、印刷ジョブを受信すると、プリントコントローラ３６のジョブ解析部３６０が当該印刷ジョブの先頭から解析を開始し（ステップＴ１）、スクリーン処理パラメータとしてスクリーン処理設定コマンドを検出する（ステップＴ２）。
【００７０】
次に、制御部３７は、ページ別のスクリーン処理設定コマンドの有無を判定し（ステップＴ３）、ないと判定した場合（ステップＴ３；Ｎｏ）には、インタプリタ部３６１にラスタライズ処理及びデフォルトのスクリーン処理を実行させた後（ステップＴ４）、後述のステップＴ６の処理に移行する。
【００７１】
一方、ステップＴ３においてページ別のスクリーン処理設定コマンドがあると判定した場合（ステップＴ３；Ｙｅｓ）には、制御部３７は、当該スクリーン処理設定コマンドに基づいてインタプリタ部３６１にページ別スクリーン処理を実行させる（ステップＴ５）。
【００７２】
具体的には、図７に示すように、まず、制御部３７は、ページ単位のスクリーン処理設定コマンドを記憶部３６２に記憶させた後（ステップＴ５１）、画像データにおける最初のページをスクリーン処理の対象ページとして設定する（ステップＴ５２）。
【００７３】
次に、制御部３７は、スクリーン処理設定コマンドの内容に基づいて、スクリーン処理対象ページに対してページ単位のスクリーン処理設定がされているか否か、つまり、デフォルト以外の設定がされているか否かを判定し（ステップＴ５３）、されていないと判定した場合（ステップＴ５３；Ｎｏ）には、記憶部３６２からデフォルトのスクリーン処理設定を読み出した後（ステップＴ５４）、後述のステップＴ５６の処理に移行する。
【００７４】
一方、ステップＴ５３においてスクリーン対象ページに対してページ単位のスクリーン処理設定がされていると判定した場合（ステップＴ５３；Ｙｅｓ）には、制御部３７は、ユーザにより設定されたスクリーン処理設定を記憶部３６２から読み出す（ステップＴ５５）。
【００７５】
次に、制御部３７は、ステップＴ５４またはステップＴ５５において読み出したスクリーン処理設定に基づいて、インタプリタ部３６１にスクリーン処理を行わせる（ステップＴ５６）。
【００７６】
次に、制御部３７は、スクリーン処理対象ページが画像データの最終ページであるか否かを判定し（ステップＴ５７）、最終ページではないと判定した場合（ステップＴ５７；Ｎｏ）には、次のページをスクリーン処理対象ページとして設定した後（ステップＴ５８）、上述のステップＴ５３の処理に移行する。
【００７７】
一方、ステップＴ５７においてスクリーン処理対象ページが最終ページであると判定した場合（ステップＴ５７；Ｙｅｓ）には、制御部３７は、ページ別スクリーン処理を終了する。
【００７８】
そして、図６に示すように、制御部３７は、インタプリタ部３６１にラスタライズを行わせて（ステップＴ６）、印刷ジョブをプリントエンジン部３５に送信させた後（ステップＴ７）、プリントエンジン部３５に印刷を行わせて（ステップＴ８）、画像形成処理を終了する。
【００７９】
これにより、上記図８（ａ）のようなスクリーン処理設定がされた場合には、例えば図８（ｂ）〜（ｄ）に示すように、ページ毎に異なるスクリーン処理の施された画像が印刷される。
【００８０】
以上の画像形成方法によれば、スクリーン処理パラメータがページ毎に設定され、当該処理パラメータに基づいてページ毎にスクリーン処理が行われるので、オブジェクトの種類毎にスクリーン処理を行う従来の場合と異なり、ページ毎に適切なスクリーン処理を行うことができる。
【００８１】
また、複数ページからなる１つの画像データに対してページ毎にスクリーン処理を行うことができるため、ページ毎の複数の画像データに対してそれぞれスクリーン処理を行う場合と比較して、処理の複雑化を防止することができる。
【００８２】
また、スクリーン線数、スクリーン角度及びドット形状のうち、少なくとも１つの内容が指定されることによってスクリーンが設定されるので、これらの全ての内容が指定される場合と比較して、処理を簡素化することができる。
【００８３】
また、プルダウンメニューを介して選択された選択肢に対応するスクリーンが該当ページに設定されるので、スクリーン処理の内容を数値等で入力する場合と比較して、操作を簡素化することができる。
【００８４】
なお、上記実施の形態においては、ページ毎にスクリーン処理設定パラメータが入力されることとして説明したが（図５のステップＳ７参照）、例えば図１０（ａ）に示すようなスクリーン処理設定画面により、表表紙或いは裏表紙に対して入力されることとしても良い。この場合には、スクリーン処理設定コマンドが図１１の網掛け部分のように設定される結果、図１０（ｂ）〜（ｄ）に示すように、表紙ページに紙質の異なる用紙を用いる場合であっても、当該表紙ページに適切なスクリーン処理を行うことができる。
【図面の簡単な説明】
【００８５】
【図１】本発明に係る画像形成システムの概略構成を示す概念図である。
【図２】クライアントパソコンの概略構成を示すブロック図である。
【図３】画像形成装置の概略構成を示すブロック図である。
【図４】プリントコントローラの概略構成を示すブロック図である。
【図５】クライアントパソコンの動作を説明するためのフローチャートである。
【図６】画像形成装置の動作を説明するためのフローチャートである。
【図７】画像形成装置の動作を説明するためのフローチャートである。
【図８】スクリーン処理パラメータの入力例と、出力画像例とを示す図である。
【図９】スクリーン処理設定コマンドを示す図である。
【図１０】スクリーン処理パラメータの入力例と、出力画像例とを示す図である。
【図１１】スクリーン処理設定コマンドを示す図である。
【符号の説明】
【００８６】
１  画像形成システム
２  クライアントパソコン（画像処理設定装置）
３  画像形成装置（画像処理装置）
２１  表示部
２２  操作部（入力部）
２５  制御部（スクリーン処理設定部）
３６０  ジョブ解析部（パラメータ検出部）
３６１  インタプリタ部（スクリーン処理部）
【図１】
2008022048.tif 000003
【図２】
2008022048.tif 000004
【図３】
2008022048.tif 000005
【図４】
2008022048.tif 000006
【図５】
2008022048.tif 000007
【図６】
2008022048.tif 000008
【図７】
2008022048.tif 000009
【図８】
2008022048.tif 000010
【図９】
2008022048.tif 000011
【図１０】
2008022048.tif 000012
【図１１】
2008022048.tif 000013